(57)【要約】【課題】装置の大型化を抑えつつ、用紙搬送経路の所望の位置で用紙後端の上流側への進行を止めることの可能な記録装置を提供する。【解決手段】インクジェットプリンター１は、回動可能な手差しトレイ１１を備えている。手差しトレイ１１には揺動可能なフラップ部材１３が設けられている。フラップ部材１３は、ストッパ部１３ｂと経路案内部１３ｃとを有し、用紙の下流側への進行（手差し給送時）は用紙が経路案内部１３ｃの下側を通り、スキュー取りの為に用紙を上流側へ搬送する際（搬送ローラー対２８の逆転時）には、用紙後端Ｐｅが経路案内部１３ｃの上側を通ってストッパ部１３ｂに当接し、これにより搬送ローラー対２８とストッパ部１３ｂとの間で用紙が撓み、スキューが矯正される。【選択図】図５
2013129506.tif 000002
【特許請求の範囲】
【請求項１】
被記録媒体を搬送する搬送手段と、
前記搬送手段へ媒体を手差し供給する際に媒体が経由する手差し供給経路と、
前記搬送手段により搬送される被記録媒体に記録を行う記録手段と、
前記手差し供給経路に設けられ、被記録媒体の下流側への進行は許容し、被記録媒体の上流側への搬送時には被記録媒体後端の上流側への進行を妨げるストッパ手段と、
を備えた記録装置。
【請求項２】
請求項１に記載の記録装置において、前記手差し供給経路における上流側に、前記搬送手段に向けて手差し供給される被記録媒体を支持する手差しトレイを備えている、
ことを特徴とする記録装置。
【請求項３】
請求項２に記載の記録装置において、前記ストッパ手段は、被記録媒体の後端を前記手差しトレイ上で止める、
ことを特徴とする記録装置。
【請求項４】
請求項１から３のいずれか１項に記載の記録装置において、前記ストッパ手段は、被記録媒体の下流側への進行を許容し、被記録媒体後端の上流側への進行を妨げる鋸歯状のストッパ部を備えて構成されている、
ことを特徴とする記録装置。
【請求項５】
請求項４に記載の記録装置において、前記鋸歯状のストッパ部が、被記録媒体の進行経路に沿って複数設けられている、
ことを特徴とする記録装置。
【請求項６】
請求項１から３のいずれか１項に記載の記録装置において、前記ストッパ手段は、揺動軸と、被記録媒体の搬送経路と交差する方向に延びるストッパ部と、被記録媒体の搬送経路に沿って延びる経路案内部と、を備えて構成された、前記揺動軸を中心に揺動可能なフラップ部材を有し、
被記録媒体の下流側への進行時、当該被記録媒体は前記経路案内部の下側を進み、
被記録媒体の下流側への搬送によって当該被記録媒体の後端が前記経路案内部の下流側端部を通過した後に、被記録媒体搬送方向を上流側に切り替えると、被記録媒体後端が前記経路案内部の上側に案内され、当該被記録媒体後端が前記ストッパ部に当接する構成を備える、
ことを特徴とする記録装置。
【請求項７】
請求項１から３のいずれか１項に記載の記録装置において、前記ストッパ手段は、被記録媒体搬送経路を遮る状態と、被記録媒体搬送経路を開放する状態と、をとり得る様に設けられるストッパ部材と、
前記ストッパ部材が被記録媒体搬送経路を遮る状態にある際に、当該ストッパ部材が上流側に搬送される被記録媒体の後端に押されて揺動することを規制する規制手段と、
を備えて構成されている、
ことを特徴とする記録装置。
【請求項８】
請求項６または７に記載の記録装置において、前記ストッパ手段は、被記録媒体の搬送経路に沿って複数設けられている、
ことを特徴とする記録装置。
【請求項９】
請求項１から８のいずれか１項に記載の記録装置において、被記録媒体の上流側への搬送時に被記録媒体後端の前記ストッパ手段からの外れを防止する外れ防止手段を備える、
ことを特徴とする記録装置。
【発明の詳細な説明】
【技術分野】
【０００１】
本発明は、ファクシミリやプリンターに代表される記録装置に関する。
【背景技術】
【０００２】
ファクシミリやプリンターに代表される記録装置においては、媒体としての用紙を複数枚セット可能であるとともに、セットされた複数枚の媒体を１枚ずつ給送する給送装置が設けられる。また、この給送装置に加えて、或いは給送装置に代えて、手差しによって用紙を給送する為の手差しトレイ（手差し給送経路）が設けられる場合もある。
【０００３】
ところで、用紙が給送される際には、用紙の斜行（スキュー）が発生する場合がある。従って、記録装置においては、用紙のスキューを除去するスキュー取り動作が行われる場合があるが、このスキュー取り動作の一つに、以下のようなものがある。
【０００４】
即ち、給送装置や手差しトレイの下流に設けられた搬送ローラー対におけるローラーニップ点から、用紙先端を所定量下流側に送り出した後、搬送ローラー対を逆転させることにより、用紙先端を搬送ローラー対から上流側に吐き出す。これにより、用紙を搬送ローラー上流側で撓ませ、この撓みによって用紙が搬送ローラー対に倣うことを期待するものである。
【０００５】
ここで、搬送ローラー対の逆転によって用紙を撓ませる為には、搬送ローラー対の上流側で用紙を保持する必要がある。その手段の一例として、用紙を給送ローラーと分離部材とでニップして保持する構成があるが、例えば用紙のコシが強い場合には給送ローラーと分離部材との間で用紙のスリップが生じ、結果的に用紙を撓ませることができない場合もある。この様な課題は、特許文献１に示されるような度当たり部材を別途設け、用紙のスイッチバックによって上記度当たり部材に用紙後端を当接させる構成とすることで解決することもできる。
【先行技術文献】
【特許文献】
【０００６】
【特許文献１】特開２００６−１８８３３５号公報
【発明の概要】
【発明が解決しようとする課題】
【０００７】
しかしながら、特許文献１に示される度当たり部材は、用紙の搬送経路外に設けられることから、装置が大型化し易い。また、用紙後端が湾曲経路から外れて用紙姿勢が直線状になることを利用して、用紙後端を度当たり部材に当接させる構成であることから、度当たり部材の設置位置には制限がある。
【０００８】
また、手差しによって用紙を給送する手差し経路には給送ローラー及び分離ローラーが設けられていない為、手差し経路において給送ローラー及び分離ローラーを利用して用紙を撓ませることはできない。
【０００９】
そこで本発明はこの様な状況に鑑みなされたものであり、その目的は、装置の大型化を抑えつつ、用紙搬送経路の所望の位置で用紙後端の上流側への進行を止めることの可能な記録装置を提供することにあり、加えて手差し経路を経由する用紙のスキューを矯正することのできる記録装置を提供することにある。
【課題を解決するための手段】
【００１０】
上記課題を解決する為の、本発明の第１の態様に係る記録装置は、被記録媒体を搬送する搬送手段と、前記搬送手段へ媒体を手差し供給する際に媒体が経由する手差し供給経路と、前記搬送手段により搬送される被記録媒体に記録を行う記録手段と、前記手差し供給経路に設けられ、被記録媒体の下流側への進行は許容し、被記録媒体の上流側への搬送時には被記録媒体後端の上流側への進行を妨げるストッパ手段とを備えたことを特徴とする。
【００１１】
本態様によれば、上記手差し供給経路には、被記録媒体の下流側への進行は許容し、被記録媒体の上流側への搬送時には被記録媒体後端の上流側への進行を妨げるストッパ手段を備えているので、装置の大型化を抑えつつ、上記手差し供給経路の任意の位置にストッパ手段を設置することができる。また、給送ローラーの設けられていない手差し供給経路において被記録媒体を撓ませ、スキューを矯正することが可能となる。
【００１２】
本発明の第２の態様は、第１の態様において、前記手差し供給経路における上流側に、前記搬送手段に向けて手差し供給される被記録媒体を支持する手差しトレイを備えていることを特徴とする。
【００１３】
本態様によれば、前記手差し供給経路における上流側に、前記搬送手段に向けて手差し供給される被記録媒体を支持する手差しトレイを備えているので、手差し供給される被記録媒体の姿勢が適切に維持される。
【００１４】
本発明の第３の態様は、第２の態様において、前記ストッパ手段は、被記録媒体の後端を前記手差しトレイ上で止めることを特徴とする。  
本態様によれば、前記ストッパ手段が、被記録媒体の後端を（手差し供給経路の上流に設けられた）手差しトレイ上で止めるので、被記録媒体の撓み領域を大きく確保することができる。
【００１５】
本発明の第４の態様は、第１から第３の態様のいずれかにおいて、前記ストッパ手段は、被記録媒体の下流側への進行を許容し、被記録媒体後端の上流側への進行を妨げる鋸歯状のストッパ部を備えて構成されていることを特徴とする。
【００１６】
本態様によれば、前記ストッパ手段は、被記録媒体の下流側への進行を許容し、被記録媒体後端の上流側への進行を妨げる鋸歯状のストッパ部を備えて構成されているので、この様な簡易な構成によって低コスト且つ省スペースに前記ストッパ手段を構成することができる。
【００１７】
本発明の第５の態様は、第４の態様において、前記鋸歯状のストッパ部が、被記録媒体の進行経路に沿って複数設けられていることを特徴とする。  
本態様によれば、前記鋸歯状のストッパ部が、被記録媒体の進行経路に沿って複数設けられているので、被記録媒体のサイズに応じて適切に被記録媒体を撓ませることができ、即ち被記録媒体のサイズに応じて適切にスキューを矯正することができる。
【００１８】
本発明の第６の態様は、第１から第３の態様のいずれかにおいて、前記ストッパ手段は、揺動軸と、被記録媒体の搬送経路と交差する方向に延びるストッパ部と、被記録媒体の搬送経路に沿って延びる経路案内部と、を備えて構成された、前記揺動軸を中心に揺動可能なフラップ部材を有し、被記録媒体の下流側への進行時、当該被記録媒体は前記経路案内部の下側を進み、被記録媒体の下流側への搬送によって当該被記録媒体の後端が前記経路案内部の下流側端部を通過した後に、被記録媒体搬送方向を上流側に切り替えると、被記録媒体後端が前記経路案内部の上側に案内され、当該被記録媒体後端が前記ストッパ部に当接する構成を備えることを特徴とする。
【００１９】
本態様によれば、前記ストッパ手段は、ストッパ部と経路案内部とを備えた揺動可能なフラップ部材を有し、このフラップ部材によって被記録媒体の搬送経路を上流側搬送時と下流側搬送時とで切り替える構成であるので、被記録媒体が下流側へ進行する際には被記録媒体に大きな負荷を与えることがなく、そして被記録媒体が上流側に搬送される際には被記録媒体後端の進行を確実に妨げることができる。
【００２０】
本発明の第７の態様は、第１から第３の態様のいずれかにおいて、前記ストッパ手段は、被記録媒体搬送経路を遮る状態と、被記録媒体搬送経路を開放する状態と、をとり得る様に設けられるストッパ部材と、前記ストッパ部材が被記録媒体搬送経路を遮る状態にある際に、当該ストッパ部材が上流側に搬送される被記録媒体の後端に押されて揺動することを規制する規制手段とを備えて構成されていることを特徴とする。
【００２１】
本態様によれば、前記ストッパ手段は、被記録媒体搬送経路を遮る状態と、被記録媒体搬送経路を開放する状態と、をとり得る様に設けられるストッパ部材を備えて構成されているので、この様な簡易な構成によって低コスト且つ省スペースに前記ストッパ手段を構成することができる。
【００２２】
本発明の第８の態様は、第６のまたは第７の態様において、前記ストッパ手段は、被記録媒体の搬送経路に沿って複数設けられていることを特徴とする。  
本態様によれば、前記ストッパ手段が、被記録媒体の搬送経路に沿って複数設けられているので、被記録媒体のサイズに応じて適切に被記録媒体を撓ませることができ、即ち被記録媒体のサイズに応じて適切にスキューを矯正することができる。
【００２３】
本発明の第９の態様は、第１から第８の態様のいずれかにおいて、被記録媒体の上流側への搬送時に被記録媒体後端の前記ストッパ手段からの外れを防止する外れ防止手段を備えることを特徴とする。  
本態様によれば、被記録媒体後端の前記ストッパ手段からの外れを防止する外れ防止手段を備えるので、被記録媒体に確実に撓みを形成することができる。
【図面の簡単な説明】
【００２４】
【図１】本発明に係るインクジェットプリンターを装置前方側から見た斜視図。
【図２】本発明に係るインクジェットプリンターの用紙搬送経路を示す側断面概略図。
【図３】図２の部分拡大図。
【図４】図２の部分拡大図。
【図５】図２の部分拡大図。
【図６】手差しトレイ及びフラップ（ストッパ手段）の斜視図。
【図７】（Ａ）、（Ｂ）は第２実施形態に係る手差しトレイ（ストッパ手段）の側面図。
【図８】ストッパの斜視図。
【図９】（Ａ）、（Ｂ）は第３実施形態に係る手差しトレイ（ストッパ手段）の側面図。
【発明を実施するための形態】
【００２５】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２６】
図１は、本発明に係る記録装置の一例としてのインクジェットプリンター１を、装置前方側から見た斜視図、図２はインクジェットプリンター１の用紙搬送経路を示す側断面概略図、図３、図４、図５、は図２の部分拡大図、図６は手差しトレイ１１及びフラップ１３（ストッパ手段８）の斜視図である。また、図７（Ａ）、（Ｂ）は第２実施形態に係るストッパ手段８’の側面図、図８は（Ａ）、（Ｂ）は第３実施形態に係るストッパ手段８’’の側面図である。
【００２７】
図１において、インクジェットプリンター１は、媒体の一例としての記録用紙にインクジェット記録を行う記録部が構成された装置本体２の上部に開閉可能なカバー５を備え、このカバー５を開くことにより装置本体２の内部にアクセスできる様になっている。
【００２８】
装置前面において符号７は記録用紙を収容する、着脱可能な用紙カセットであり、符号９は記録が行われて排出された用紙を受ける排紙受けトレイである。  
符号６は、電源ボタンや各種印刷設定・記録実行を行う操作ボタン、印刷設定内容や印刷画像のプレビュー表示などを行う表示部、等を備えて成る操作パネルである。
【００２９】
そして装置後部には、記録用紙を手差しで給送する為の手差しトレイ１１が設けられている。この手差しトレイ１１は開閉（回動）可能に設けられており、閉じることで図１の実線で示す様に記録用紙を差し入れる手差し口１０（図２）が閉じられ、塵埃等が装置内部に侵入しない様になっている。そして手差しトレイ１１を開くことで（図１の矢印方向）、図１の仮想線及び符号１１’で示す様に用紙支持面１１ａによって用紙を支持できる状態となり、また記録用紙を差し入れる手差し口１０が開放された状態となる。
【００３０】
尚、手差しトレイ１１に設けられた、符号１２Ａ、１２Ｂで示す構成部材（図６）はエッジガイドであり、これらエッジガイド１２Ａ、１２Ｂは用紙幅に合わせてスライド変位可能に設けられている。また、手差しトレイ１１にはフラップ部材１３が設けられているが、これについては後に詳述する。
【００３１】
続いて図２を参照しながら、装置本体２の内部における用紙搬送経路について説明する。尚、図２は用紙搬送経路の構成を示しているが、全ての構成を示すものではなく、説明に不要な構成要素は適宜図示を省略している。
【００３２】
インクジェットプリンター１は、２つの用紙給送手段（用紙給送経路）を備えており、１つは装置下部に設けられた用紙カセット７からの用紙給送経路であり、もう１つは、上述した手差しトレイ１１からの用紙給送経路（手差し供給経路）である。特に図３は、用紙Ｐが手差し供給経路を経由して搬送手段としての搬送駆動ローラー２９に到達する状態を示している。
【００３３】
用紙カセット７からの用紙給送経路において、用紙カセット７と対向する位置に設けられた符号２１で示すローラーは図示しないモーターにより回転駆動される給送ローラーであり、この給送ローラー２１は揺動軸２２ａを中心に揺動可能な揺動部材２２に設けられ、揺動部材２２の揺動を介して用紙カセット７に対し進退可能となっている。そして給送ローラー２１が用紙カセット７に収容された用紙の最上位のものと接して回転することで、当該最上位の用紙を下流側に送り出す。
【００３４】
用紙カセット７において給送側に位置する内壁は分離斜面２３となっており、送り出される用紙先端が分離斜面２３に摺接しながら下流側に進むことで、当該送り出される用紙と、これに連れられて重送されようとする次位以降の用紙との分離が行われる。
【００３５】
用紙カセット７から送り出された用紙は、図示しないモーターにより回転駆動される大径の反転ローラー２５によって湾曲反転させられた後、図示しないモーターにより回転駆動される駆動ローラー２９と、従動回転する従動ローラー３０と、のこれらローラーで構成される搬送ローラー対２８に到達する。尚、符号２６、２７は反転ローラー２５による用紙搬送を補助する、従動回転可能な補助ローラーである。
【００３６】
搬送ローラー対２８を構成する駆動ローラー２９及び従動ローラー３０は、下流側へと用紙を精密送りするローラー対であり、このローラー対の下流側にはインクジェット式の記録ヘッド３５と、用紙を支持する支持部材３２とが対向配置されている。尚、符号３１は、従動ローラー３０を支持するローラー支持部材である。
【００３７】
記録ヘッド３５は、主走査方向（図２の紙面表裏方向）に往復動可能なキャリッジ３４の底部に設けられ、キャリッジ３４が主走査方向に移動する過程において記録ヘッド３５からインクが吐出されることにより、記録用紙への記録が行われる。
【００３８】
次に、記録ヘッド３５の下流側において、符号３７は図示しないモーターにより回転駆動され、回転することにより用紙を排出する排出駆動ローラーであり、符号３８は排出駆動ローラー３７との間で用紙をニップする、従動回転可能な排出従動ローラーである。これらローラー対により、記録の行われた用紙は、排紙受けトレイ９に向けて排出される。
【００３９】
続いて、手差しトレイ１１からの用紙給送経路について説明する。手差しトレイ１１が開いた状態において、手差し口１０は、装置本体２の外観を構成するハウジング３の上部開口縁部３ｂと手差しトレイ１１（用紙支持面１１ａ）との間で形成され、即ち装置上部において上方に開口する様に形成されている。尚、本実施形態ではこの様に手差し口１０はハウジング３の開口縁部３ｂと手差しトレイ１１（用紙支持面１１ａ）との間で形成されているが、例えばハウジング３の上面に単純な開口形状を形成し、これを手差し口としても良い。この場合、手差しトレイは設けなくても良いし、手差しトレイを設ける場合には手差し口の外側に設けても良い。
【００４０】
手差し口１０から差し入れられた用紙は、手差しトレイ１１、ガイド部材１９、２０、ローラー支持部材３１、のこれらによって搬送ローラー対２８へと案内される様になっている。
【００４１】
以下、手差しトレイ１１に設けられたストッパ手段８（フラップ部材１３）について説明する。このストッパ手段８は、搬送手段としての搬送ローラー対２８の上流側における用紙搬送経路（本実施形態では手差し給送経路）に設けられ、用紙の下流側への進行（手差し給送時）は許容し、用紙の上流側への搬送時（搬送ローラー対２８の逆転時）には用紙後端の上流側への進行を妨げる機能を有する。
【００４２】
より詳しくは、本実施形態においてストッパ手段８は、フラップ部材１３を備えて構成されている。このフラップ部材１３は、揺動軸１３ａを中心に用紙搬送経路を側視して揺動可能に設けられており、用紙搬送経路と交差する方向に延びるストッパ部１３ｂと、用紙搬送経路に沿って延びる経路案内部１３ｃと、を備えて構成されている。尚、フラップ部材１３は、手差しトレイ１１に設けられ、手差しトレイ１１と一体的に回動する様になっている。従って手差しトレイ１１が閉じられた状態では、フラップ部材１３は外側からは視認できない。
【００４３】
このフラップ部材１３は、用紙が手差し給送されていない状態では、自重によって経路案内部１３ｃが下側に下がった状態にある。この状態から、用紙Ｐが経路案内部１３ｃと手差しトレイ１１の用紙支持面１１ａとの間に差し込まれると、当該用紙が経路案内部１３ｃを押し退け、下流側に進む。即ち、用紙Ｐは下流側へ進行する際には、経路案内部１３ｃの下側を進むこととなる（図３）。
【００４４】
そして差し入れられた用紙Ｐは、記録実行前にスキュー除去が行われる。より詳しくは、差し入れられた用紙の先端が搬送ローラー対２８に到達すると、搬送ローラー対２８の正転によって用紙は所定量下流側へ搬送される（図４）。
【００４５】
尚、搬送ローラー対２８の上流側近傍と下流側近傍には、図示しない用紙検出手段が設けられており、搬送ローラー対２８上流の用紙検出手段が用紙を検出することで搬送ローラー対２８が停止状態から正転駆動される。そして、搬送ローラー対２８下流の用紙検出手段が用紙を検出すると、搬送ローラー対２８の正転駆動を停止する様になっている。
【００４６】
用紙後端Ｐｅが経路案内部１３ｃの先端を通過すると、フラップ部材１３は、自重によって経路案内部１３ｃが下側に下がった状態となる。なお、経路案内部１３ｃは図６に示す様に櫛歯状に形成されており、経路案内部１３ｃが下側に下がった状態では、当該経路案内部１３ｃの先端が、手差しトレイ１１に形成された凹部１１ｃに入り込んだ状態となる。これにより用紙Ｐが上流側に送られる際に、用紙後端Ｐｅが確実に経路案内部１３ｃの上側に案内される様になっている。
【００４７】
次に、搬送ローラー対２８を逆転駆動して、用紙先端を搬送ローラー対２８の上流側に吐き出す動作を行う（図５）。このとき、上述の様に経路案内部１３ｃが下側に下がっており且つその先端が手差しトレイ１１に形成された凹部１１ｃに入り込んだ状態となっているので、用紙Ｐの後端Ｐｅは、下流側への進行時とは異なり経路案内部１３ｃの上側に案内される。そして、当該後端Ｐｅがストッパ部１３ｂに当接してそれ以上の上流側への進行が妨げられる。従って、用紙Ｐは搬送ローラー対２８とストッパ部１３ｂとの間で撓み、これにより用紙先端が搬送ローラー対２８のニップ点に倣い、スキューが矯正される（図５）。
【００４８】
この様に、ストッパ手段８は、ストッパ部１３ｂと経路案内部１３ｃとを備えた揺動可能なフラップ部材１３を有し、このフラップ部材１３によって用紙搬送経路を上流側搬送時と下流側搬送時とで切り替える構成であるので、用紙Ｐが下流側へ進行する際には用紙Ｐに大きな負荷を与えることがなく、そして用紙Ｐが上流側に搬送される際には用紙Ｐ後端の進行を確実に妨げることができ、その結果スキューを適切に矯正することができる。
【００４９】
そしてまた、ストッパ手段８は、用紙Ｐの下流側への進行は許容し、用紙Ｐの上流側への搬送時には用紙後端の上流側への進行を妨げるので、装置の大型化を抑えつつ、用紙搬送経路の任意の位置にストッパ手段８を設置することができる。従って、フラップ部材１３の設置数は本実施形態の如く一つに限られず、適宜の間隔を空けて複数配置しても良い。その際のフラップ部材１３の配置位置は、用紙サイズに合わせることが好適である。それにより、用紙サイズに応じて適切に用紙を撓ませることができ、即ち用紙サイズに応じて適切にスキューを矯正することができる。
【００５０】
続いて、図７を参照しながらストッパ手段の他の実施形態について説明する。尚、図７（及び図９）では、手差しトレイ付近の構成要素のみ図示し、図２〜図５で示した他の構成要素は図示を省略している。図７（Ａ）、（Ｂ）に示すストッパ手段８’は、用紙搬送経路を遮る状態（図７（Ｂ））と、用紙搬送経路を開放する状態（図７（Ａ））と、をとり得る様に設けられるストッパ部材１４と、ストッパ部材１４が用紙搬送経路を遮る状態にある際に、当該ストッパ部材１４が用紙後端Ｐｅに押されて図の時計回り方向に揺動することを規制する規制手段としての規制部材１５とを備えて構成されている。
【００５１】
ストッパ部材１４は、揺動軸１４ａを中心に揺動可能に設けられており、且つ、コイルばね１６（図８）によって、上流側に起き上がる方向に付勢された状態に設けられている。従って用紙Ｐを差し入れる際には、当該用紙Ｐがストッパ部材１４を押し退け、用紙Ｐが下流側に進むことができる（図７（Ａ））。
【００５２】
用紙後端Ｐｅがストッパ部材１４を通過すると、コイルばね１６の付勢力によってストッパ部材１４は上流側方向に起き上がる（図７（Ｂ））。そしてその状態で、搬送ローラー対２８の逆転駆動によって用紙Ｐが上流側に送られると、用紙後端Ｐｅがストッパ部材１４に当接してそれ以上の上流側への進行が妨げられる（図７（Ｂ））。
【００５３】
従って、用紙Ｐは搬送ローラー対２８とストッパ部材１４との間で撓み、これにより用紙先端が搬送ローラー対２８のニップ点に倣い、スキューが矯正される。そしてこの様に簡易な構成によって低コスト且つ省スペースにストッパ手段８’を構成することができる。尚、ストッパ部材１４及び規制部材１５は手差しトレイ１１に設けられ、手差しトレイ１１と一体に回動する様になっているが、これに限られず、ストッパ部材１４及び規制部材１５が装置本体側に設けられていても良い。
【００５４】
尚、ストッパ部材１４は用紙後端Ｐｅから力を受けるが、ストッパ部材１４は規制部材１５によって上流側方向への回動（図７において時計回り方向）が規制されるので、確実に用紙後端Ｐｅの進行を妨げることができる。また、ストッパ部材１４の先端部１４ｂはフック形状を成しているので、用紙後端Ｐｅがストッパ部材１４から外れることを抑制し或いは防止することができる。加えて、規制部材１５は庇部１５を有しているので、これによっても用紙後端Ｐｅのストッパ部材１４からの外れが防止される。
【００５５】
上記のストッパ部材１４は、上記実施形態の如く一つに限られず、適宜の間隔を空けて複数配置しても良い。その際のストッパ部材１４の配置位置は、用紙サイズに合わせることが好適である。それにより、用紙サイズに応じて適切に用紙を撓ませることができ、即ち用紙サイズに応じて適切にスキューを矯正することができる。
【００５６】
続いて、図９を参照しながらストッパ手段の他の実施形態について説明する。図７（Ａ）、（Ｂ）に示すストッパ手段８’’は、鋸歯状のストッパ部１７を用紙進行方向に沿って複数備えて構成されている。
【００５７】
用紙Ｐが差し入れられる際、当該用紙先端は鋸歯状のストッパ部１７に引っ掛かることなく下流側に進む（図９（Ａ））。しかしながら、搬送ローラー対２８の逆転により上流側に送られると、用紙後端Ｐｅが鋸歯状のストッパ部１７に引っ掛かり、それ以上の上流側への進行が妨げられる（図９（Ｂ））。
【００５８】
従って、用紙Ｐは搬送ローラー対２８とストッパ部１７との間で撓み、これにより用紙先端が搬送ローラー対２８のニップ点に倣い、スキューが矯正される（図９（Ｂ））。そしてこの様に、ストッパ手段８’’は用紙Ｐの下流側への進行を許容し、上流側への進行を妨げる鋸歯状のストッパ部１７を備えて構成されているので、この様な簡易な構成によって低コスト且つ省スペースにストッパ手段８’’を構成することができる。
【００５９】
尚、鋸歯状のストッパ部１７は、本実施形態では用紙進行方向に沿って複数設けられているが、その配置位置は、用紙サイズに合わせることが好適である。それにより、用紙サイズに応じて適切に用紙を撓ませることができ、即ち用紙サイズに応じて適切にスキューを矯正することができる。或いは、用紙の撓みの度合いによって下流側のストッパ部１７に用紙後端が引っ掛からないときでも、それより上流側のストッパ部１７に用紙後端が引っ掛かることができ、確実にスキューを矯正することが可能となる。
【００６０】
また、符号１８は可撓性のシート材である。シート材１８は上流側の固定端１８ａにおいて固定されており、下流側が自由端となっていて、複数設けられたストッパ部１７に上から軽く接している。そして用紙Ｐを手差し給送する際には、当該用紙Ｐをシート材１８の下側に差し入れるが、上述の通りストッパ部１７は用紙の下流側への進行を許容する鋸歯形状を成しているので、用紙先端がストッパ部１７に引っ掛かることはない。
【００６１】
そして、搬送ローラー対２８を逆転駆動させた際、上述した様に用紙後端Ｐｅがストッパ部１７に引っ掛かるが、例えば用紙後端部が上方向にカールしていると、用紙後端Ｐｅがストッパ部１７に引っ掛からずに上方に外れてしまう虞がある。しかしながら、上述の様にシート材１８がストッパ部１７に上から接しているので、このシート材１８が外れ防止手段として機能し、用紙後端Ｐｅを適切にストッパ部１７に引っ掛かることができる。
【００６２】
以上説明した各実施形態では、用紙後端を手差しトレイ１１上で止めるが、これに限られず、手差しトレイ１１より下流側にストッパ手段を設け、そこで用紙後端を止めても良い。尚、用紙後端を手差しトレイ１１上で止めることにより、用紙の撓み空間として手差し供給経路全体を利用でき、即ち用紙の撓み領域を大きく確保することができる。
【００６３】
以上説明した実施形態は一例であり、本発明が上記実施形態に限られないことは言うまでもない。また本実施形態では本発明を記録装置の一例としてのインクジェットプリンターに適用したが、その他液体噴射装置一般に適用することも可能である。
【００６４】
ここで、液体噴射装置とは、インクジェット式記録ヘッドが用いられ、該記録ヘッドからインクを吐出して被記録媒体に記録を行うプリンター、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００６５】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【符号の説明】
【００６６】
１  インクジェットプリンター、２  装置本体、３  ハウジング、５  カバー、６  操作パネル、７  用紙カセット、８、８’、８’’  ストッパ手段、９  排紙受けトレイ、１０  手差し口、１１  手差しトレイ、１１ａ  支持面、１１ｂ  回動軸、１２Ａ、１２ｂ  エッジガイド、１３  フラップ部材、１３ａ  揺動軸、１３ｂ  ストッパ部、１３ｃ  経路案内部、１４  ストッパ部材、１４ａ  揺動軸、１４ｂ  先端部、１５  規制部、１６  コイルばね、１７  ストッパ部、１８  シート材、１８ａ  固定端、１９  ガイド部材、２０  ガイド部材、２１  給送ローラー、２２  揺動部材、２３  分離斜面、２５  中間ローラー、２６  補助ローラー、２７  補助ローラー、２８  搬送ローラー対、２９  駆動ローラー、３０  従動ローラー、３１  ローラー支持部材、３２  案内部材、３４  キャリッジ、３５  インクジェット記録ヘッド、３７  排出駆動ローラー、３８  排出従動ローラー、Ｐ  記録用紙
【図１】
2013129506.tif 000003
【図２】
2013129506.tif 000004
【図３】
2013129506.tif 000005
【図４】
2013129506.tif 000006
【図５】
2013129506.tif 000007
【図６】
2013129506.tif 000008
【図７】
2013129506.tif 000009
【図８】
2013129506.tif 000010
【図９】
2013129506.tif 000011